(57)【要約】      （修正有）【課題】回転ブラシを回転ブラシ用の柄に、容易に取り付けることができる回転ブラシの取り付け構造を提供する。【解決手段】回転ブラシ２０の取付構造において、柄部材１は、回転ブラシ２０を使用する際に手で握る把持部２と、把持部２の長手方向一端に形成され、回転ブラシ２０を設置するためのヘッド部３とを有する。ヘッド部３は、ブラシ台４と、ブラシ台４の左右両側から把持部２の長手方向と交差する一方向に延出される一対の支持壁５とを有する。回転ブラシ２０のハブの軸穴に軸部材が挿通された回転ブラシ２０が、支持壁５の先端近傍に形成される挿入孔６に挿入され、ヘッド部３に固定される。軸部材の軸中央部の両端面に凸部が形成され、一対の支持壁５の内面に支持壁５の延出方向外端に向かって拡開方向に傾斜する摺動面を有し、挿入孔６を挟んで両側に堤部が形成されていることにより、回転ブラシ２０がヘッド部３に固定されやすくなる。【選択図】図１
0003232003.tif 000002
【実用新案登録請求の範囲】
【請求項１】
把持部と、
該把持部の長手方向一端に形成されたヘッド部とを有する柄部材を備え、
前記ヘッド部は、把持部の長手方向に延長形成されたブラシ台と、
該ブラシ台の左右両側から前記把持部の長手方向とに交差する一方向に延出される一対の支持壁とを有すると共に、
軸穴が形成されたハブから放射方向に多数の素線が延出するシート状のブラシ単体が、軸方向に多数枚重ねられて回転ブラシが構成され、
該回転ブラシが前記一対の支持壁の間に配置され、前記回転ブラシのハブの軸穴に軸部材が挿通され、さらに該軸部材の両端が支持壁に取り付けられてなる回転ブラシの取付構造であって、
前記軸部材は長手方向中央に軸中央部が形成されてなると共に軸中央部の両端面に軸中央部の直径よりも小さい直径を有する柱状の凸部が形成されてなり、
前記一対の支持壁の先端近傍に前記軸部材を挿入する挿入孔が形成され、
前記挿入孔を含んで前記一対の支持壁の内面に、支持壁の延出方向外端に向かって拡開方向に傾斜する摺動面が形成されると共に、
前記摺動面に前記挿入孔を挟んで延出方向両側にU字型の堤部が形成され、
さらに前記軸部材の前記凸部の先端面が凸円弧状に形成されてなることを
特徴とする回転ブラシの取付構造。
【考案の詳細な説明】
【技術分野】
【０００１】
本考案は、歯に付着したプラークの除去及び歯茎のマッサージに好適なロール歯ブラシを提供する回転ブラシとその取付構造に関するものである。
【０００２】
本発明者は、以前に歯に付着したプラークの除去及び歯茎のマッサージに好適なロール歯ブラシとその製造方法を提案した(特開平２００３−２２００８０号公報)。その内容は、多数の素線が束状に集合されると共にその素線が放射方向に押し開かれてなる素線群と、押し開かれた素線群が台座に固定された状態で、素線群の中心部分が環状に溶着されてなる溶着部を有すると共に、環状の溶着部の内周が円形に切断されて円形の挿通孔が形成されてなるロール歯ブラシ用のシート状のブラシ単体が形成され、該シート状ブラシ単体が多数枚重ね合わせられ、挿通孔に軸心パイプが挿入されて回転ブラシが形成され、この回転ブラシが柄部材に回転自由に支持されてなるロール歯ブラシである。
【先行技術文献】
【特許文献】
【０００３】
【特許文献１】特開２００３−２２００８０号公報
【考案の概要】
【考案が解決しようとする課題】
【０００４】
ところで、以上のような回転ブラシを取り付けるためには回転ブラシの環状部に軸部材を挿入して回転ブラシを回転ブラシ用の柄に取り付ける必要がある。特許文献１によると、柄部材の長さ方向一端に形成された両側の支持片の間に回転ブラシを介入させて、一方の支持片から回転ブラシの軸心パイプを通して他方の支持片へと、頭部を有する支軸を挿入し、この後支軸の他端側を圧潰させることにより、支軸を介して回転ブラシを柄部材に回転自由に支持させている。この先行技術によれば、柄部材の各支持片にそれぞれ凹入部を形成して、これの内部に支軸の頭部と他端側の圧潰部を位置させ、前記支軸の頭部は非円形とし、また、これを受け入れる前記支持片凹入部も非円形に形成されることが好ましいとされている。しかし、前記の柄部材には凹入部を形成しているのみであり、さらには取り付け過程が複雑かつ、一度外れると再度回転ブラシを取り付けることが困難であった。
さらに、回転ブラシが回転ブラシ用の柄から容易に外れないように例えば、ＡＢＳ樹脂のような硬い樹脂を採用すると支持部材が固いため、取り付けるのが困難になる。
したがって、取り付け過程が複雑かつ、取り付けが困難であるため、不良品ができやすく製造コストに無駄が生じやすいことが問題であった。
また、取り付けやすくするために柔らかい素材にした場合、回転ブラシが柄から外れやすいという問題が生ずる。
【０００５】
そこで、本考案は回転ブラシの取り付け構造が複雑ではなく、回転ブラシを回転ブラシ用の柄に、容易に取り付けることができる回転ブラシの取り付け構造を提供することを目的とする。
【課題を解決するための手段】
【０００６】
本考案は、把持部と、該把持部の長手方向一端に形成されたヘッド部とを有する柄部材を備え、前記ヘッド部は、把持部の長手方向に延長形成されたブラシ台と、該ブラシ台の左右両側から前記把持部の長手方向とに交差する一方向に延出される一対の支持壁とを有すると共に、軸穴が形成されたハブから放射方向に多数の素線が延出するシート状のブラシ単体が、軸方向に多数枚重ねられて回転ブラシが構成され、該回転ブラシが前記一対の支持壁の間に配置され、前記回転ブラシのハブの軸穴に軸部材が挿通され、さらに該軸部材の両端が支持壁に取り付けられてなる回転ブラシの取付構造であって、前記軸部材は長手方向中央に軸中央部が形成されてなると共に軸中央部の両端面に軸中央部の直径よりも小さい直径を有する柱状の凸部が形成されてなり、前記一対の支持壁の先端近傍に前記軸部材を挿入する挿入孔が形成され、前記挿入孔を含んで前記一対の支持壁の内面に、支持壁の延出方向外端に向かって拡開方向に傾斜する摺動面が形成されると共に、前記摺動面に前記挿入孔を挟んで延出方向両側にU字型の堤部が形成され、さらに前記軸部材の前記凸部の先端面が凸円弧状に形成されてなることを特徴とする回転ブラシ用の取付構造である。
【０００７】
前記軸中央部は、前記回転ブラシの前記軸穴の全長と同じ長さかやや長めであることが好ましい。
【０００８】
前記軸中央部の両端面に形成される凸部は周面が多角形に形成されていてもよいが円柱状であることが好ましい。
【０００９】
前記凸部の先端面は、周縁が円弧状に形成されていてもよいが好ましくは半球面であることが望ましい。
【００１０】
前記軸部材の凸部の先端間の長さは一対の支持壁の外面同士の間の幅と同じくらいの長さであることがこのましい。
【００１１】
前記挿入孔は、支持壁の延出方向先端近傍に形成される。挿入孔の延出方向基端側の弧は、堤部の底辺に接するように形成されることが好ましい。
【００１２】
また、前記挿入孔は、貫通することなく支持壁に凹み形状として、形成されていてもよい。
【００１３】
前記摺動面は、挿入孔から支持壁の延出方向外端に向かって拡開方向に傾斜されることが望ましい。
【００１４】
前記摺動面は堤部の間に形成されてなることが好ましい。
【００１５】
前記堤部は、前記挿入孔を挟んでいれば延出方向先端に向かうにしたがって広がっていてもよいがU字型であることが好ましい。
【００１６】
前記回転ブラシ用の柄はＡＢＳ樹脂で製造されていることが好ましい。
【考案の効果】
【００１７】
本考案に係る回転ブラシの取り付け構造によれば、回転ブラシを回転ブラシ用の柄に容易に取り付けることができる。
【００１８】
さらに、回転ブラシを容易に回転ブラシ用の柄に取り付けることができることから不良品を生むことを減少させることができる。
【００１９】
ＡＢＳ樹脂のような硬い樹脂を使用することができるため、軟らかい素材を利用した場合よりも回転ブラシが外れにくい。
【００２０】
また、万が一回転ブラシが回転ブラシ用の軸から外れてしまっても取り付け構造が簡単であることから容易に回転ブラシの取り付けなおしをすることも可能である。
【図面の簡単な説明】
【００２１】
【図１】回転ブラシを取り付けた構造の斜視図
【図２】回転ブラシを取り付けた構造を正面から見た図
【図３】回転ブラシ用の柄部材を正面から見た図
【図４】ヘッド部を示すＡ−Ａ断面図
【図５】図４の二点鎖線で囲んだ部分の拡大図
【図６】図５のＢ−Ｂ断面図
【図７】図５のＣ−Ｃ端面図
【図８】回転ブラシをヘッド部に取り付けようとする構造を示す断面図
【図９】回転ブラシをヘッド部に取り付けた構造を示すＤ−Ｄ断面図
【図１０】軸部材を表す正面図
【図１１】ブラシ単体を表す平面図
【考案を実施するための形態】
【００２２】
以下、本考案に係る実施の形態を、図を参照しながら詳しく説明する。なお、本明細書及び図面において、実質的に同一の機能構成を有する構成要素については、同一の符号を付することにより重複説明を省略する。
【００２３】
図１に示す回転ブラシ２０の柄部材１は、回転ブラシ２０を使用する際に手で握る把持部２と、把持部２の長手方向一端に形成され、回転ブラシ２０を設置するためのヘッド部３とを有する。ヘッド部３は、把持部２の長手方向に延長形成されたブラシ台４と、ブラシ台４の左右両側から把持部２の長手方向と交差する一方向に延出される一対の支持壁５，５とを有する。ヘッド部３に設置される回転ブラシ２０は、軸穴２１を形成する円筒状のハブ１１から多数の素線１２が放射方向に延出するシート状のブラシ単体１０を軸方向に多数枚重ねて形成されて回転ブラシ２０が形成されている。
【００２４】
回転ブラシ２０の取り付け構造は、回転ブラシ２０のハブ１１の軸穴２１に軸部材３０が挿通され、この回転ブラシ２０が一対の支持壁５，５の間に配置される構造である。軸部材３０は長手方向中央に軸中央部３１が形成されてなると共に軸中央部３１の両端面３３，３３に軸中央部３１直径ｄ２よりも小さい直径ｄ３を有する円柱状の凸部３２が形成される。支持壁５の先端近傍９に、軸部材３０を挿入する挿入孔６が形成されており、回転ブラシ２０の軸穴２１に挿通された軸部材３０の両端３６が、支持壁５の挿入孔６に挿入されてヘッド部３に回転ブラシ２０が固定される。また、支持壁５の挿入孔６を含んで一対の支持壁５，５の内面が支持壁５の延出方向外端５０に向かって拡開方向に傾斜する摺動面７が形成されている。摺動面７には挿入孔６を挟んで両側にU字型の堤部８が形成されている。さらに軸部材３０の前記凸部３２の先端面３７は凸円弧状である。
【００２５】
回転ブラシ２０をヘッド部３へ取り付ける取り付け構造を説明する。回転ブラシ２０の軸穴２１は軸部材３０が挿通されている。当該回転ブラシ２０の軸穴２１に挿通された軸部材３０の両端３６を、ヘッド部３の支持壁５の先端近傍９に形成された挿入孔６に挿入して取り付けている。
【００２６】
回転ブラシ２０をヘッド部３の支持壁５に設置させるための軸部材３０は、軸中央部３１と凸部３２が形成されてなる。軸中央部３１の長さｗ１は回転ブラシ２０の軸穴２１の全長ｄ１と同じかやや長い長さで形成されている。このようにすることで、回転ブラシ２０が軸部材３０の周りを回転可能に保持され、これにより回転ブラシ２０と軸部材３０がガタガタ動くことなく固定される。
【００２７】
さらに、軸部材３０の軸中央部３１両端面３３，３３に凸部３２，３２が形成されてなる。本実施形態によると凸部３２は円柱状であり、先端面３７は凸円弧状に形成されてなる。凸部３２は横断面多角形に形成されていてもよいが円柱状であることが好ましい。円柱状にすることにより、挿入孔６の内周壁との隙間がなくなり、軸部材３０が密に固定される。これにより、回転ブラシ２０がよりスムーズに回転可能となる。
【００２８】
またさらに、凸部３２の先端面３７は、周縁が円弧状に形成されていてもよいが好ましくは凸円弧状であることが望ましい。円弧状であることから角がなく摺動面７を滑りやすくなる。これにより、支持壁５の先端近傍９に形成されている挿入孔６まで到達しやすくなり、挿入孔６への装着が容易になる。
【００２９】
軸部材３０の凸部３２の先端間の長さｗ２は一対の支持壁５，５の外面同士の間隔ｄ４と同じくらいであることが好ましい。軸穴２１に軸部材３０を挿通している回転ブラシ２０をヘッド部３に取り付けるために軸部材３０の凸部３２を挿入孔６に挿入した際には、支持壁５の外側に凸部３２が飛び出ないように形成される。これにより、歯ブラシとして利用した場合に口の中を傷つける心配がなくなる。さらに、軸部材３０と支持壁５との間の隙間をなくした場合には、軸部材３０が支持壁５に安定して固定され、回転ブラシ２０がスムーズに回転される。
【００３０】
支持壁５の先端近傍９に形成される挿入孔６の延出方向基端側５１は、堤部８の底辺に接するように形成されることが好ましい。挿入孔６の下半円の弧が堤部８の底部に接することで、堤部８と挿入孔６との隙間がない形状になる。これにより、軸部材３０の凸部３２が挿入孔６から外れにくくなる。
【００３１】
さらに挿入孔６は、支持壁５を貫通して形成されていてもよいが、支持壁５において貫通することなく形成された凹み形状であるのが好ましい。
挿入孔６が支持壁５を貫通している場合は、軸部材３０の凸部３２の周面と挿入孔６の内周壁の接触面積が大きくなり、軸穴２１に軸部材３０が挿通されている回転ブラシ２０が強固にヘッド部３に取り付けることができる。支持壁５を貫通することなく装着するときは、支持壁５の外面が面一に形成でき、滑らかな使用感が得られる。
【００３２】
摺動面７は、挿入孔６から支持壁５の延出方向外端５０に向かって拡開方向に傾斜されることが望ましい。これにより、軸部材３０の装着が容易になる。
【００３３】
摺動面７は堤部８の間に形成されているのが好ましい。このようにすることにより、摺動面７は堤部８を形成する支持壁５よりも厚さが薄くなり堤部８がガイドのような役目を果たすことができる。そのため、軸部材３０がスムーズに挿入孔６に到達し、挿入孔６に軸部材３０が挿入される。
【００３４】
堤部８は、挿入孔６を挟んでいれば、延出方向両側にV字型に形成されていてもよいが、U字型であることが好ましい。堤部８が挿入孔６を含むことによりガイドの役割を果たす堤部８に従って軸部材３０の凸部３２先端面３７が挿入孔６に嵌りやすくなる。
【００３５】
柄部材１はＡＢＳ樹脂により形成されるのが好ましく、適度な硬さと軸部材３０保持力を得ることができる。
【００３６】
回転ブラシ２０を回転ブラシ２０用の柄部材１に取り付けるには、先ず初めに、軸部材３０を回転ブラシ２０の軸穴２１に挿通する。この時、軸部材３０の軸中央部３１が回転ブラシ２０の軸穴２１の軸長さに対応するように位置させる。次に、回転ブラシ２０の軸穴２１に挿通された軸部材３０の両端３６を支持壁５の先端近傍９に形成された挿入孔６に挿入する。本実施形態によると、軸部材３０が挿通されている回転ブラシ２０は、まず軸部材３０両端３６の一方端を堤部８に従い、摺動面７に沿って軸部材３０の凸円弧状の先端面３７がスライドされ挿入孔６に挿入される。その後、他方端を堤部８に従い、摺動面７に沿って軸部材３０の凸円弧状の先端面３７がスライドすることでヘッド部３に取り付けることができる。
【符号の説明】
【００３７】
１  柄部材
２  把持部
３  ヘッド部
４  ブラシ台
５  支持壁
６  挿入孔
７  摺動面
８  堤部
９  先端近傍
１０  ブラシ単体
１１  ハブ
１２  素線
２０  回転ブラシ
２１  軸穴
３０  軸部材
３１  軸中央部
３２  凸部
３３  両端面
３６  両端
３７  先端面
５０  延出方向外端
５１  延出方向基端側
ｄ１  全長
ｄ２  （軸中央部の）直径
ｄ３  （凸部の）直径
ｄ４  （支持壁の外面同士の）間隔
ｗ１  （軸中央部の）長さ
ｗ２  （軸部材の凸部の先端間の）長さ
【図１】
0003232003.tif 000003
【図２】
0003232003.tif 000004
【図３】
0003232003.tif 000005
【図４】
0003232003.tif 000006
【図５】
0003232003.tif 000007
【図６】
0003232003.tif 000008
【図７】
0003232003.tif 000009
【図８】
0003232003.tif 000010
【図９】
0003232003.tif 000011
【図１０】
0003232003.tif 000012
【図１１】
0003232003.tif 000013